(57)【特許請求の範囲】
【請求項１】
被写体を通過した透過光を電気信号に変換して出力する撮像手段と、
前記撮像手段の出力を映像信号として記憶するためのメモリと、
前記撮像手段の出力を前記メモリを経由することなく映像信号として表示手段に出力するための第１の出力手段と、
前記メモリに記憶された映像信号を記録媒体に出力するための第２の出力手段と、  
前記メモリに順次記憶されていく映像信号をスルーで前記第２の出力手段に供給する処理と、前記メモリでの順次記憶を停止した状態で該メモリ上の映像信号を前記第２の出力手段に供給することによって前記被写体を交換する場合に当該交換している状態が前記記録媒体に記録されないようにする処理とを切換える切換手段と、
を有することを特徴とする撮像装置。
【請求項２】
請求項１において、前記撮像手段の出力をネガポジ反転するネガポジ反転手段を有することを特徴とする撮像装置。
【発明の詳細な説明】
【０００１】
【産業上の利用分野】
本発明は、ポジフィルムを撮影する機能と、ネガフィルムを撮影してポジ画像を得る機能とを有する撮像装置に関する。
【０００２】
【従来の技術】
図９はネガポジ反転機能を有する従来のカラー撮像装置を示している。被写体であるネガフィルムまたはポジフィルム２は、光源１とレンズ３の間に配置され、レンズ３と絞り４を通過したフィルム２の光学像が撮像素子であるＣＣＤ５により電気信号に変換される。ＣＣＤ５はタイミング発生回路７により生成された駆動パルスに基づいてドライバ６により駆動される。
【０００３】
このＣＣＤ５により撮像された信号から輝度信号処理回路８により高域の輝度信号ＹＨが生成されるとともに、カラー信号処理回路１０により赤信号Ｒと低域の輝度信号ＹＬと青信号Ｂが生成される。高域の輝度信号ＹＨは輝度レベル検出回路９により検出され、該輝度信号ＹＨが所定のレベルになるように絞り４が制御される。
【０００４】
Ｒ利得制御回路１１とＢ利得制御回路１２はそれぞれ、赤信号Ｒ、青信号Ｂの各信号のホワイトバランスを調整するために用いられ、ボリューム１３によりその利得が制御される。減算回路１４、１５はそれぞれ、Ｒ利得制御回路１１、Ｂ利得制御回路１２の各出力信号Ｒ、Ｂから低域の輝度信号ＹＬを減算することにより色差信号Ｒ−ＹＬ、Ｂ−ＹＬを生成する。
【０００５】
輝度信号用のネガポジ反転処理回路１６は、反転回路とペデスタルレベル設定のためのブランキング処理回路等から構成され、ペデスタルレベルはボリューム１７により調整される。色差信号Ｒ−ＹＬ、Ｂ−ＹＬ用の各ネガポジ反転処理回路１８、１９は反転回路等から構成されている。これら反転処理回路１６，１８，１９及び輝度信号処理回路８、減算回路１４，１５はネガポジ切替用のスイッチ回路２０に接続され、さらに該スイッチ回路２０の入力はネガポジモード選択手段２１により切り替えられる。すなわち、ネガフィルム撮影のモードが選択されているときには接点ａ側に接続され、ポジフィルム撮影のモードが選択されているときには接点ｂ側に接続される。スイッチ回路２０により選択された信号はエンコーダ（ＥＮＣ）２２に出力され、輝度信号ＹＨと色差信号Ｒ−ＹＬ、Ｂ−ＹＬからテレビジョン用の複合映像信号が生成され、出力端子２３に出力される。
【０００６】
【発明が解決しようとする課題】
しかしながら、上記従来のカラー撮像装置では、光源１の明るさとフィルム２の状態に応じて絞り４が制御されているので、フィルム２上の被写体の濃度が濃い場合はＣＣＤ５への入射光量が低下して絞り４が開く方向に制御されることとなり、レンズ３の周辺光量の低下が目立つという問題点がある。
【０００７】
また、このようなカラー撮像装置の用途としては、出力端子２３をモニタテレビに接続してフィルム２の画像を鑑賞するのみならず、ＶＴＲ（ビデオテープレコーダ）等の記録装置に出力してフィルム２の画像を記録、編集する目的で用いられることがある。しかしながら、上記従来のカラー撮像装置では、ＶＴＲへの録画中にフィルム２を送ったり、交換したりする場合に、オペレータがＶＴＲをいちいち一時停止状態に設定しないと、このフィルム２を送ったり、交換している状態がＶＴＲにより記録されるという問題点がある。
【０００９】
本発明は上記従来の問題点に鑑み、撮像されたフィルムの画像をＶＴＲ等の記録装置により記録する場合の操作性を向上することができる撮像装置を提供することを目的とする。
【００１２】
【課題を解決するための手段】
上記課題を解決するため、請求項１に係る発明は、被写体を通過した透過光を電気信号に変換して出力する撮像手段と、前記撮像手段の出力を映像信号として記憶するためのメモリと、前記撮像手段の出力を前記メモリを経由することなく映像信号として表示手段に出力するための第１の出力手段と、前記メモリに記憶された映像信号を記録媒体に出力するための第２の出力手段と、前記メモリに順次記憶されていく映像信号をスルーで前記第２の出力手段に供給する処理と、前記メモリでの順次記憶を停止した状態で該メモリ上の映像信号を前記第２の出力手段に供給することによって前記被写体を交換する場合に当該交換している状態が前記記録媒体に記録されないようにする処理とを切換える切換手段とを有している。
また、本発明は、請求項１において、前記撮像手段の出力をネガポジ反転するネガポジ反転手段を有している。
【００１６】
【作用】
前記切換手段により、前記メモリに順次記憶されていく映像信号をスルーで前記第２の出力手段に供給する処理と、前記メモリでの順次記憶を停止した状態で該メモリ上の映像信号を前記第２の出力手段に供給することによって前記被写体を交換する場合に当該交換している状態が前記記録媒体に記録されないようにする処理とが切換えられる。
【００１８】
【実施例】
以下、図面を参照して本発明の実施例を説明する。図１はカラー撮像装置の一例を示すブロック図である。
【００１９】
光源１はフィルム２の背後から照明するように配置され、レンズ３と絞り４を通過したフィルム２の光学像がＣＣＤ５により電気信号に変換される。ＣＣＤ５はタイミング発生回路７により生成された駆動パルスに基づいてドライバ６により駆動され、タイミング発生回路７は輝度レベル検出回路９０の制御により、通常モード時にはＮＴＳＣ方式の場合に１／６０秒、ＰＡＬ方式の場合に１／５０秒に対応するタイミング信号と、この周期より長いタイミング信号を選択的に発生し、また、輝度レベル検出回路９０の制御によりメモリコントローラ３６の書き込みタイミングと読み出しタイミングの周期が制御される。
【００２０】
このＣＣＤ５により撮像された信号から輝度信号処理回路８により高域の輝度信号ＹＨが生成されるとともに、カラー信号処理回路１０により赤信号Ｒと、低域の輝度信号ＹＬと青信号Ｂが生成される。高域の輝度信号ＹＨは輝度レベル検出回路９０により検出され、前記輝度信号ＹＨが所定のレベルになるように絞り４が制御される。輝度レベル検出回路９０はまた、後述するようにタイミング発生回路７とメモリコントローラ３６を制御する。
【００２１】
Ｒ利得制御回路１１とＢ利得制御回路１２はそれぞれ、赤信号Ｒ、青信号Ｂの各信号のホワイトバランスを調整するために用いられ、ボリューム１３により利得が制御される。減算回路１４、１５はそれぞれ、Ｒ利得制御回路１１、Ｂ利得制御回路１２の各出力信号Ｒ、Ｂから低域の輝度信号ＹＬを減算することにより色差信号Ｒ−ＹＬ、Ｂ−ＹＬを生成する。
【００２２】
輝度信号用のネガポジ反転処理回路１６は、反転回路とペデスタルレベル設定のためのブランキング処理回路等から構成され、そのペデスタルレベルがボリューム１７により調整される。色差信号Ｒ−ＹＬ、Ｂ−ＹＬ用の各ネガポジ反転処理回路１８、１９は反転回路等から構成されている。これら反転処理回路１６，１８，１９及び輝度信号処理回路８、減算回路１４，１５はネガポジ切替用のスイッチ回路２０に接続され、さらに該スイッチ回路２０の入力はネガポジモード選択手段２１により切り替えられる。すなわち、ネガフィルム撮影のモードが選択されているときには接点ａ側に接続され、ポジフィルム撮影のモードが選択されているときには接点ｂ側に接続される。
【００２３】
そして、図１ではスイッチ回路２０により選択された輝度信号ＹＨ、色差信号Ｒ−ＹＬ、Ｂ−ＹＬ、またはその反転信号がそれぞれ、Ａ／Ｄ変換器３０〜３２によりディジタル信号に変換され、ついで、メモリコントローラ３６の制御により第１フィールドの各信号がそれぞれフィールドメモリ３３ａ、３４ａ、３５ａ（以下、メモリａという）に格納され、第２フィールドの各信号がそれぞれフィールドメモリ３３ｂ、３４ｂ、３５ｂ（以下、メモリｂという）に格納される。
【００２４】
また、この第１フィールドまたは第２フィールドの各信号がメモリコントローラ３６の制御により読み出され、それぞれＤ／Ａ変換器３７〜３９によりアナログ信号に変換される。そして、エンコーダ（ＥＮＣ）２２により輝度信号ＹＨと色差信号Ｒ−ＹＬ、Ｂ−ＹＬからテレビジョン用の複合映像信号が生成され、出力端子２３を介して出力される。
【００２５】
つぎに、図２を参照して通常モード時の動作を説明する。なお、図２（１）はＣＣＤ５からの読み出しタイミングを示し、図２（２）はメモリへの書き込みタイミングを示し、図２（３）はメモリｂへの書き込みタイミングを示している。また図２（４）はメモリａからの読み出しタイミングを示し、図２（５）はメモリｂからの読み出しタイミングを示し、図２（６）はエンコーダ２２への入力タイミングを示している。
【００２６】
そして、時刻ｔ1でＣＣＤ５から読み出された信号がメモリａに書き込まれ、時刻ｔ2でＣＣＤ５から読み出された信号がメモリｂに書き込まれる。また、時刻ｔ2でメモリａから読み出しが行われ、時刻ｔ3でメモリｂから読み出しが行われる。以下、この動作はフィールド毎に交互に繰り返され、その周期はＮＴＳＣ方式の場合に１／６０秒であり、ＰＡＬ方式の場合に１／５０秒である。したがって、図２（６）に示すように、ＣＣＤ５から読み出された信号と同一の順序でエンコーダ２２に入力される。
【００２７】
ここで、この例では、撮影されるフィルム２内の被写体の領域の濃度が濃い場合、輝度レベル検出回路９０が絞り４を所定値で固定し、また、タイミング発生回路７のタイミング周期を制御することによりＣＣＤ５の露光時間を通常より長くして光量不足を補い、さらにメモリコントローラ３６の書き込みタイミングと読み出しタイミングの周期を制御するように構成されている。
【００２８】
このメモリコントローラ３６の動作を図３を参照して説明すると、時刻ｔ11でＣＣＤ５から読み出された信号がメモリａに書き込まれ、時刻ｔ13でＣＣＤ５から読み出された信号がメモリｂに書き込まれるが、時刻ｔ11から時刻ｔ13までの時間すなわちＣＣＤ５の露光時間は、通常モード時の時間（ＮＴＳＣ方式の場合に１／６０秒、ＰＡＬ方式の場合に１／５０秒）より長くなるように制御される。以下、書き込みはこの長い時間間隔で繰り返して行われる。
【００２９】
そして、時刻ｔ11でメモリａに書き込まれた信号は、時刻ｔ12（＜ｔ13）で読み出され、時刻ｔ13でメモリｂに書き込まれた信号は、時刻ｔ14で読み出される。以下、時刻ｔ15で書き込まれた第１フィールドの信号が時刻ｔ16で読み出され、時刻ｔ17で書き込まれた第２フィールドの信号が時刻ｔ18で読み出されるが、時刻ｔ19では次の第１フィールドの信号がＣＣＤ５から読み出されていないので、時刻ｔ15で書き込まれた第１フィールドの信号が再度読み出される。同様に、時刻ｔ20では次の第２フィールドの信号がＣＣＤ５から読み出されていないので、時刻ｔ17で書き込まれた第２フィールドの信号が再度読み出される。このように読み出しを行うことによって、露光時間を通常の１／６０秒より長くすることによって、欠けてしまった映像信号を抜けのないように補うことができる。
【００３０】
したがって、図１の例によれば、撮影されるフィルム２内の被写体の領域の濃度が濃く、絞り４を所定値以上開かなければならない場合に、絞り４を所定値で固定してＣＣＤ５の露光時間を通常より長くすることによりレンズ３の周辺における光量の低下を目立たなくすることができる。また、図１の例によれば、メモリを用いることにより、ＣＣＤ５の露光時間を長くしても映像信号が欠落することなく出力することができる。
【００３１】
つぎに、図４を参照して他の例を説明する。この他の例では、光源１の光量が輝度レベル検出回路９１により制御可能に構成されている。なお、他の構成は図１の例と同一であり、また、ＣＣＤ５を駆動するドライバ６とタイミング発生回路７は図示省略されている。
【００３２】
すなわち、図１の例では、撮影されるフィルム２内の被写体の領域の濃度が濃く、絞り４を所定値以上開かなければならない場合に、絞り４を所定値で固定してＣＣＤ５の露光時間を通常より長くするように構成したが、この他の例では、絞り４を所定値で固定して光源１の輝度が高くなるように構成されている。したがって、この他の例においても同様に、レンズ３の周辺における光量の低下を目立たなくすることができる。
【００３３】
つぎに、図５を参照して上記他の例の第１の変形例を説明する。この第１の変形例では、補助光源４１が付加され、撮影されるフィルム２内の被写体の領域の濃度が濃く、絞り４を所定値以上開かなければならない場合に、輝度レベル検出回路９２が補助光源４１を点灯させ、その点灯に応じて輝度が高くなった分だけ絞り４を閉じ、輝度信号処理回路８の出力信号ＹＨが所定のレベルになるように制御される。したがって、この場合にも同様に、レンズ３の周辺における光量の低下を目立たなくすることができる。
【００３４】
つぎに、図６を参照して上記他の例の第２の変形例を説明する。この第２の変形例では、ＣＣＤ５の出力信号の利得が利得制御回路４２により制御可能に構成され、この利得制御回路４２の出力信号から輝度信号処理回路８により高域の輝度信号ＹＨが生成される。そして、輝度レベル検出回路９３は、撮影されるフィルム２内の被写体の領域の濃度が濃く、絞り４を所定値以上開かなければならない場合に、絞り４を所定値で固定して利得制御回路４２の利得を高くし、輝度信号処理回路８の出力信号ＹＨが所定のレベルになるように制御する。したがって、この場合にも同様に、レンズ３の周辺における光量の低下を目立たなくすることができる。
【００３５】
図７は本発明に係るカラー撮像装置の一実施例を示すブロック図である。本実施例では、スイッチ回路２０までの構成が図１の例と同様であり、また、光源１やレンズ３等の撮像手段の図が省略されている。そして、スイッチ回路２０により選択された輝度信号ＹＨ、色差信号Ｒ−ＹＬ、Ｂ−ＹＬ、またはその反転信号は、エンコーダ２２ａにより複合映像信号に変換された後、出力端子２３ａを介して出力されるとともに、それぞれＡ／Ｄ変換器３０〜３２によりディジタル信号に変換される。そして、メモリ３３〜３５は上述の如くＡ／Ｄ変換器３０〜３２により変換された各ディジタル信号を記憶し、フリーズスイッチ４３がオフの場合に入力信号をそのまま出力し、フリーズスイッチ４３がオンの場合にオフになるまで入力信号を継続して出力する。次いでメモリ３３〜３５から出力された各ディジタル信号はそれぞれＤ／Ａ変換器３７〜３９によりアナログ信号に変換され、エンコーダ２２ｂにより複合映像信号に変換された後、出力端子２３ｂを介して出力される。
【００３６】
したがって、本実施例によれば、出力端子２３ａをモニタテレビに接続し、出力端子２３ｂをＶＴＲ等の記録装置に接続してフィルム２の画像を記録・編集する場合に、ＶＴＲへの録画中にオペレータがフィルム２を送ったり、交換する際にフリーズスイッチ４３をオンにすると、メモリ３３〜３５に記憶された輝度信号ＹＨ、色差信号Ｒ−ＹＬ、Ｂ−ＹＬ、またはその反転信号がそのまま出力されるので、オペレータがＶＴＲをいちいち一時停止状態に設定しなくても、フィルム２を送ったり、交換している状態がＶＴＲにより記録されることを防止することができ、したがって、操作性を向上することができる。
【００３７】
つぎに、図８を参照して本実施例の変形例を説明する。この変形例では、図７に示す実施例に対して、エンコーダ２２ａ、２２ｂの出力信号を合成する画面合成回路４４が付加され、他の構成は同一である。この画面合成回路４４ではエンコーダ２２ａにより生成された画面に対し、エンコーダ２２ｂにより生成された画面すなわちメモリ３３〜３５に記憶された画面を子画面として合成し、出力端子２３ａを介して出力される。また、出力端子２３ｂからはメモリ３３〜３５に記憶された画面が出力される。
【００３８】
したがって、この変形例によれば、出力端子２３ａをモニタテレビに接続し、出力端子２３ｂをＶＴＲ等の記録装置に接続した場合、オペレータがＶＴＲをいちいち一時停止状態に設定しなくても、フィルム２を送ったり、交換している状態がＶＴＲにより記録されることを防止することができ、さらにＶＴＲによる録画中の画面をモニタテレビによりモニタすることができるので、操作性を向上することができる。
【００３９】
なお、上記実施例では、ＣＣＤ５に入射する光量を輝度レベル検出回路９０〜９３により検出するように構成したが、代わりに測光素子のような外測センサを用いてもよいことは勿論である。
【００４２】
【発明の効果】
以上説明したように、本発明によれば、被写体を通過した透過光を電気信号に変換して出力する撮像手段と、前記撮像手段の出力を映像信号として記憶するためのメモリと、前記撮像手段の出力を前記メモリを経由することなく映像信号として表示手段に出力するための第１の出力手段と、前記メモリに記憶された映像信号を記録媒体に出力するための第２の出力手段と、前記メモリに順次記憶されていく映像信号をスルーで前記第２の出力手段に供給する処理と、前記メモリでの順次記憶を停止した状態で該メモリ上の映像信号を前記第２の出力手段に供給することによって前記被写体を交換する場合に当該交換している状態が前記記録媒体に記録されないようにする処理とを切換える切換手段とを有しているので、被写体としてのフィルムを交換している状態がＶＴＲ等により記録されることを防止することができ、従って、撮像されたフィルムの画像をＶＴＲ等の記録装置により記録する場合の操作性を向上させることが可能となる。
【図面の簡単な説明】
【図１】カラー撮像装置の一例を示すブロック図である。
【図２】図１に示すカラー撮像装置の通常モード時の動作を説明するためのタイミングチャートである。
【図３】図１に示すカラー撮像装置において露光時間が長い場合の動作を説明するためのタイミングチャートである。
【図４】カラー撮像装置の他の例を示すブロック図である。
【図５】上記他の例の第１の変形例を示すブロック図である。
【図６】上記他の例の第２の変形例を示すブロック図である。
【図７】本発明に係るカラー撮像装置の一実施例を示すブロック図である。
【図８】上記実施例の変形例を示すブロック図である。
【図９】従来例を示すブロック図である。
【符号の説明】
３  レンズ
４  絞り
５  ＣＣＤ
１６〜１９  反転処理回路
２３ａ、２３ｂ  出力端子
３４、３５  メモリ
４４  画面合成回路
【図１】
0003658002.tif 000002
【図２】
0003658002.tif 000003
【図３】
0003658002.tif 000004
【図４】
0003658002.tif 000005
【図５】
0003658002.tif 000006
【図６】
0003658002.tif 000007
【図７】
0003658002.tif 000008
【図８】
0003658002.tif 000009
【図９】
0003658002.tif 000010